(57)【要約】【課題】外部光で太陽電池素子を発電させることでき、暗い所でも表示部材を視認でき、且つ機器全体の薄型化および小型化を図る。【解決手段】指針表示部材８の文字板を兼ねる太陽電池素子１０と、この太陽電池素子１０の上面側に紫外線領域の光を照射する紫外線発光素子２５と、太陽電池素子１０の時字１８および指針１２に設けられて紫外線領域の光に反応して可視光線領域の光を発光する発光部２０とを備えた。従って、明るい所では外部光が太陽電池素子１０に照射されるので、太陽電池素子１０で発電することができる。また、暗い所で紫外線発光素子２５を発光させると、その紫外線領域の光が太陽電池素子１０に照射されて、時字１８および指針１２の各発光部２０が可視光線領域の光で発光するので、暗い所でも時刻を知ることができる。さらに、太陽電池素子１０が文字板を兼ねているので、腕時計全体の薄型化および小型化が図れる。【選択図】        図１
2004200189.tif 000002
【特許請求の範囲】
【請求項１】
表示部材と、
この表示部材の一部を兼ねる太陽電池素子と、
この太陽電池素子の上面側に紫外線領域の光を照射する紫外線発光素子と、
少なくとも前記太陽電池素子の上面に設けられて紫外線領域の光に反応して可視光線領域の光を発光する発光部と
を備えたことを特徴とする電子機器。
【請求項２】
前記表示部材および前記太陽電池素子の外周側を囲う枠状の光透過性部材を備え、この光透過性部材の内部に前記紫外線発光素子が配置されていることを特徴とする請求項１に記載の電子機器。
【請求項３】
前記発光部は紫外線領域の光の非照射時にほぼ透明な状態を呈することを特徴とする請求項１に記載の電子機器。
【請求項４】
前記表示部材は文字板の上方を指針が運針する指針式のものであり、前記太陽電池素子は前記文字板を兼ねていることを特徴とする請求項１〜３のいずれかに記載の電子機器。
【請求項５】
前記発光部は前記太陽電池素子の上面に設けられた時字に相当する部分および前記指針にそれぞれ設けられていることを特徴とする請求項４に記載の電子機器。
【請求項６】
前記表示部材は液晶表示素子であり、前記太陽電池素子は前記液晶表示素子の反射板を兼ねていることを特徴とする請求項１〜３のいずれかに記載の電子機器。
【請求項７】
前記発光部は前記太陽電池素子の上面のほぼ全域に亘って設けられていることを特徴とする請求項６に記載の電子機器。
【発明の詳細な説明】
【０００１】
【発明の属する技術分野】
この発明は、腕時計、携帯電話機、自動車の計器類などの各種の電子機器に関する。
【０００２】
【従来の技術】
例えば、文字板の上方を指針が運針する指針式の腕時計においては、腕時計ケース内の所定個所に、人間の目に見える可視光線領域の光を発光する発光ダイオード（ＬＥＤ）などのランプを設け、暗い所でランプを点灯させて文字板と指針を照明することにより、暗い所でも時刻を知ることができるようになっている。
【０００３】
この種の腕時計では、平板状の太陽電池素子を設ける場合、文字板の上側に太陽電池素子を設けると、太陽電池素子によって文字板が見えなくなるため、文字板を光が透過するように形成し、この文字板の下側に太陽電池素子を設けたものがある（例えば、特許文献１参照。）。
【０００４】
【特許文献１】
特開２００２−２８６８６７（Ｐ２００２−２８６８６７Ａ）
【０００５】
【発明が解決しようとする課題】
しかしながら、このような腕時計では、光が透過する構造の文字板の下側に太陽電池素子を設けているため、文字板と太陽電池素子との両方が必要となり、その分、時計モジュールが厚くなり、腕時計全体の薄型化および小型化の妨げになるという問題がある。
【０００６】
この発明の課題は、明るい所で太陽電池素子によって発電することできると共に、暗い所でも表示部材を視認することができ、且つ機器全体の薄型化および小型化が図れるようにすることである。
【０００７】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図８に示すように、表示部材（指針表示部材８、液晶表示素子３５）と、この表示部材の一部（指針表示部材８の文字板、液晶表示素子３５の反射板）を兼ねる太陽電池素子（１０）と、この太陽電池素子の上面側に紫外線領域の光を照射する紫外線発光素子（２５）と、少なくとも前記太陽電池素子の上面に設けられて紫外線領域の光に反応して可視光線領域の光を発光する発光部（２０、４０）とを備えたことを特徴とする電子機器である。
【０００８】
この発明によれば、明るい所では外部光が表示部材に照射されるので、この表示部材の一部を兼ねる太陽電池素子によって発電することができ、また暗い所で紫外線発光素子を発光させると、人間の目に見えない紫外線領域の光が太陽電池素子の上面側に照射され、この照射された紫外線領域の光によって太陽電池素子の上面に設けられた発光部が反応して人間の目に見える可視光線領域の光を発光するので、この可視光線領域の光によって表示部材を照明することができ、これにより明るい所でも暗い所でも表示部材を視認することができ、しかも太陽電池素子が表示部材の一部を兼ねているので、太陽電池素子を搭載しても、機器全体の薄型化および小型化を図ることができる。
【０００９】
請求項２に記載の発明は、図１〜図８に示すように、前記表示部材（指針表示部材８、液晶表示素子３５）および前記太陽電池素子（１０）の外周側を囲う枠状の光透過性部材（２２、５３）を備え、この光透過性部材の内部に前記紫外線発光素子（２５）が配置されていることを特徴とする請求項１に記載の電子機器である。
この発明によれば、紫外線発光素子を発光させると、その紫外線領域の光が枠状の光透過性部材の内部に入射し、この入射した紫外線領域の光が枠状の光透過性部材に沿って導かれながら太陽電池素子に向けて放出されるので、太陽電池素子の外周側から紫外線領域の光を太陽電池素子の上面全域に亘ってほぼ均一に照射させることができる。
【００１０】
請求項３に記載の発明は、図１〜図８に示すように、前記発光部（２０、４０）が紫外線領域の光の非照射時にほぼ透明な状態を呈することを特徴とする請求項１に記載の電子機器である。
この発明によれば、紫外線領域の光が照射されたときに発光部が可視光線領域の光を発光して表示部材を照明することができるほか、特に紫外線領域の光が存在しない明るい所では、発光部がほぼ透明な状態を呈するので、この発光部によって表示部材の視認性が妨げられることがなく、外部光によって表示部材を鮮明に視認することができると共に、外部光が発光部を透過するので、外部光を太陽電池素子に十分に照射させることができ、これにより太陽電池素子を良好に発電させることができる。
【００１１】
請求項４に記載の発明は、図１〜図４に示すように、前記表示部材（指針表示部材８）が、文字板の上方を指針（１２）が運針する指針式のものであり、前記太陽電池素子（１０）が前記文字板を兼ねていることを特徴とする請求項１〜３のいずれかに記載の電子機器である。
この発明によれば、明るい所で外部光が文字板を兼ねる太陽電池素子と指針とに照射されるので、太陽電池素子を十分に発電させることができると共に、時刻を知ることができるほか、特に太陽電池素子が文字板を兼ねているので、その分、部品点数が少なく、組み立て作業が容易になると共に、機器全体の薄型化および小型化を図ることができる。
【００１２】
請求項５に記載の発明は、図１〜図４に示すように、前記発光部（２０）が前記太陽電池素子（１０）の上面に設けられた時字（１８）に相当する部分および前記指針（１２）にそれぞれ設けられていることを特徴とする請求項４に記載の電子機器である。
この発明によれば、太陽電池素子の時字に相当する部分に発光部を設けたので、外部光を太陽電池素子に十分に照射させて発電させることができるほか、特に紫外線発光素子が発光して紫外線領域の光が文字板を兼ねる太陽電池素子の上面側に照射されると、太陽電池素子の時字に相当する部分および指針にそれぞれ設けられた発光部が紫外線領域の光に反応して可視光線領域の光を発光するので、暗い所でも時字および指針を視認することができ、これにより良好に時刻を知ることができる。
【００１３】
請求項６に記載の発明は、図５〜図８に示すように、前記表示部材が液晶表示素子（３５）であり、前記太陽電池素子（１０）が前記液晶表示素子の反射板を兼ねていることを特徴とする請求項１〜３のいずれかに記載の電子機器である。
この発明によれば、明るい所で外部光が液晶表示素子に照射されると、その外部光が液晶表示素子および発光部を透過して液晶表示素子の反射板を兼ねる太陽電池素子に照射されるので、太陽電池素子で発電することができると共に、この太陽電池素子で外部光が反射され、この反射された光が再び液晶表示素子を透過するので、液晶表示素子に表示された情報を視認することができる。
【００１４】
この場合、暗い所で紫外線発光素子を発光させると、その紫外線領域の光が液晶表示素子を透過して太陽電池素子の上面に設けられた発光部に照射され、この照射された紫外線領域の光に発光部が反応して可視光線領域の光を発光するので、この発光部で発光した可視光線領域の光が液晶表示素子のバックライトとなり、液晶表示素子を下面側から照明することができ、これにより暗い所でも液晶表示素子に表示された情報を視認することができる。さらに、太陽電池素子が反射板を兼ねていると共に太陽電池素子に設けられた発光部が液晶表示素子のバックライト装置として機能するので、液晶表示素子の反射板やバックライト装置が別部品として不要となり、これにより機器全体の薄型化および小型化を図ることができる。
【００１５】
請求項７に記載の発明は、図５〜図８に示すように、前記発光部（４０）が前記太陽電池素子（１０）の上面のほぼ全域に亘って設けられていることを特徴とする請求項６に記載の電子機器である。
この発明によれば、発光部が請求項３に記載の発明と同様、紫外線領域の光の非照射時にほぼ透明な状態を呈するものであることにより、明るい所で外部光が液晶表示素子および発光部を透過するので、発光部を太陽電池素子の上面全体に設けても、太陽電池素子に外部光を十分に照射させて良好に発電させることができると共に、液晶表示素子に表示された情報を視認することができ、また暗い所で紫外線発光素子を発光させて紫外線領域の光が液晶表示素子を透過して太陽電池素子に照射されると、この太陽電池素子の上面のほぼ全域亘って設けられた発光部が紫外線領域の光に反応して可視光線領域の光を発光するので、液晶表示素子の下面全体をほぼ均一な明るさで照明することができ、これにより暗い所でも液晶表示素子に表示された情報を鮮明に見ることができる。
【００１６】
【発明の実施の形態】
［第１実施形態］
以下、図１〜図４を参照して、この発明を腕時計に適用した第１実施形態について説明する。
図１はこの発明の腕時計を示した要部の拡大断面図である。この腕時計は、指針式のものであり、図１に示すように、腕時計ケース１を備えている。この腕時計ケース１の上部には、時計ガラス２が装着されており、この腕時計ケース１の内部には、時計モジュール３が見切り部材４を介して収納されている。また、この腕時計ケース１の下部には、裏蓋５が防水リング６を介して取り付けられている。
【００１７】
時計モジュール３は、アナログ機能とデジタル機能とのうち、少なくともアナログ機能を備えたものである。すなわち、この時計モジュール３は、ハウジング７を備え、このハウジング７に指針表示部材８を設けた構造になっている。この指針表示部材８は、ハウジング７に設けられたアナログムーブメント９と、ハウジング７の上面に設けられた文字板を兼ねる太陽電池素子１０とを備えている。アナログムーブメント９は、指針軸１１が太陽電池素子１０の貫通孔１０ａを通してその上方に突出し、この突出した指針軸１１の上端部に時針、分針、秒針などの指針１２が取り付けられ、この指針１２が太陽電池素子１０の上方を運針するように構成されている。
【００１８】
太陽電池素子１０は、図２に示すように、電池基板１３上に金属製の下部電極層１４を形成し、この下部電極層１４上にアモルファスシリコン層１５を形成し、このアモルファスシリコン層１５上にＩＴＯなどの透明な上部電極層１６を形成し、この上部電極層１６上に絶縁性を有する透明な保護層１７を形成した構造になっている。これにより、この太陽電池素子１０は、外部光が保護層１７および上部電極層１６を透過してアモルファスシリコン層１５に照射されると、この照射された外部光によってアモルファスシリコン層１５が起電力を発生するように構成されている。
【００１９】
また、この太陽電池素子１０は、指針表示部材８の文字板を兼ねるものであるため、その上面つまり保護層１７の上面における外周部に時字１８が１時から１２時の各位置に対応して設けられている。この太陽電池素子１０の各時字１８および指針１２の先端部分には、図１および図２に示すように、発光部２０がそれぞれ印刷や塗布によって設けられている。これら発光部２０は、波長が３５０〜４２０ｎｍ（ナノメートル：ナノメートルは１０億分の１メートル）または２５４〜３６５ｎｍの紫外線領域の光に反応して可視光線領域の光を発光し、紫外線領域の光が照射されないときにほぼ透明な状態を呈するものである。また、この発光部２０は、その発光色が無色または白色であっても良く、また赤、青、緑（黄色）を基本とし、これらの混合色であっても良い。この場合の色バリエーションは１０〜１３種類ある。
【００２０】
一方、太陽電池素子１０の外周部に位置するハウジング７の上面には、図１に示すように、見切り部材４が腕時計ケース１の内周面に沿って配置されている。この見切り部材４は、枠状の光透過性部材２１と、この光透過性部材２１の外周に配置された白色の枠状部材２２とからなっている。枠状の光透過性部材２１は、透明な樹脂でほぼリング状に形成されており、図３に示すように、その断面形状がほぼ台形状に形成され、その外周面および下面に微細な凹凸部２３が形成されている。白色の枠状部材２２は、白色系の樹脂でほぼリング状に形成され、図１に示すように、その断面形状がほぼ逆台形状に形成され、光透過性部材２１の外周面、腕時計ケース１の内周面、および時計ガラス２の下面に密接した状態で配置されている。
【００２１】
この場合、光透過性部材２１の下面および外周面の下部には、反射シート２４が連続して配置されている。また、枠状の光透過性部材２１の所定個所、例えば互いに対向する１２時と６時とに位置する個所には、紫外線発光素子２５が挿入する素子挿入穴２６がそれぞれ設けられている。
この紫外線発光素子２５は、図４（ａ）および図４（ｂ）に示すように、波長が３６５〜３８５ｎｍの紫外線領域の光を発光するブラックライトと呼ばれる紫外線発光ダイオード（ＬＥＤ）などの発光体２７を素子基板２８上に搭載して透明なモールド樹脂２９で封止した構造になっている。
【００２２】
すなわち、発光体２７は例えば１辺が２ｍｍ程度のほぼ立方体形状のチップであり、その上下面にはチップ電極２７ａ、２７ｂがそれぞれ設けられている。また、素子基板２８には、一対の接続電極２８ａ、２８ｂが素子基板２８の上面から側面を経て下面に亘って設けられている。さらに、素子基板２８の上面に位置する一方の接続電極２８ａには、発光体２７の下面側のチップ電極２７ａが半田や導電性接着剤などで電気的に接続されており、他方の接続電極２８ｂには、ワイヤーボンディングによる金属細線３０によって発光体２７の上面側のチップ電極２７ｂが電気的に接続されている。モールド樹脂２９は、透明な樹脂からなり、素子基板２８上に発光体２７および金属細線３０を覆った状態で円柱状に形成されている。
【００２３】
この紫外線発光素子２５は、図１に示すように、円柱状のモールド樹脂２９が枠状の光透過性部材２１の素子挿入穴２６内に下側から挿入され、この状態でハウジング７に設けられた接続用の貫通孔３１内に配置された一対のコイルばね３２ａ、３２ｂ（図４（ｂ）参照）によって、素子基板２８の一対の接続電極２８ａ、２８ｂがハウジング７の下面に配置された回路基板３３の各電極端子（図示せず）と電気的に接続されている。この場合、回路基板３３には、アナログムーブメント９の動作制御、太陽電池素子１０で発電された電気の充電制御、紫外線発光素子２５の発光制御などを行うＬＳＩ、および太陽電池素子１０で発電した電力を蓄える２次電池などの各種の電子部品（いずれも図示せず）が搭載されている。なお、太陽電池素子１０も、図示しない接続部材によって回路基板３３と電気的に接続され、これにより発電した電力を回路基板３３の２次電池に供給するように構成されている。
【００２４】
このような腕時計によれば、明るい所では外部光が時計ガラス２を透過して腕時計ケース１の内部に入射するので、この入射した外部光によって文字板である太陽電池素子１０および指針１２を照明することができ、これにより通常の腕時計と同様、時刻を知ることができる。このときには、腕時計ケース１内に入射した外部光が太陽電池素子１０に照射されるので、太陽電池素子１０で発電することができ、この太陽電池素子１０で発電した電力を回路基板３３に搭載された２次電池（図示せず）に蓄えることができる。このため、２次電池に蓄えられた電力により紫外線発光素子２５を所望するときに自由に発光させることができる。
【００２５】
また、暗い所で紫外線発光素子２５を発光させると、人間の目に見えない紫外線領域の光が見切り部材４の枠状の光透過性部材２１内に入射する。すなわち、紫外線発光素子２５の透明なモールド樹脂２９が見切り部材４の枠状の光透過性部材２１における１２時と６時とに位置する２か所に設けられた素子挿入穴２６内にそれぞれ挿入されているので、紫外線発光素子２５の発光体２７が発光すると、その紫外線領域の光がモールド樹脂２９を透過して素子挿入穴２６の内面から枠状の光透過性部材２１の内部に入射する。
【００２６】
この入射した紫外線領域の光は、光透過性部材２１によって導かれると共に、光透過性部材２１の外周面および下面に形成された微細な凹凸部２３によって順次拡散、反射されて光透過性部材２１の内周面から腕時計ケース１の内部に向けて出射される。このときには、光透過性部材２１の外周面に密着する白色の枠状部材２２と、光透過性部材２１に下面および外周面に設けられた反射シート２４とによって、光透過性部材２１で導かれる光を外周側および下面側に漏らさないように反射することができ、これにより紫外線発光素子２５からの光を確実に且つ効率良く光透過性部材２１で導くことができる。
【００２７】
このため、枠状の光透過性部材２１の内周面全体から紫外線領域の光をほぼ均一に放出することができ、文字板である太陽電池素子１０の上面全体に紫外線領域の光をその外周側からほぼ均一に照射することができる。これにより、太陽電池素子１０の時字１８および指針１２に設けられた各発光部２０が紫外線領域の光に反応して人間の目に見える可視光線領域の光を発光するので、暗い所でも時刻を知ることができる。この場合、太陽電池素子１０の時字１８の発光部２０と指針１２の発光部２０との各発光色が異なる色、例えば時字１８の発光部２０が青色で発光し、指針１２の発光部２０が赤色で発光すれば、より一層、時刻を見やすくすることができ、且つ色彩性および装飾性の高いものを得ることができる。
【００２８】
このように、この腕時計では、明るい所で外部光が文字板である太陽電池素子１０に照射されるので、この文字板を兼ねる太陽電池素子１０によって十分に発電することができ、また暗い所で紫外線発光素子２５を発光させると、その紫外線領域の光が太陽電池素子１０の上面側に照射されて太陽電池素子１０の時字１８および指針１２にそれぞれ設けられた各発光部２０が紫外線領域の光に反応して可視光線領域の光を発光するので、暗い所でも時刻を知ることができるほか、特に太陽電池素子１０が文字板を兼ねているので、部品点数を削減して組み立て作業性の向上を図ることができると共に、太陽電池素子１０を搭載しても、時計モジュール３が厚くならず、腕時計全体の薄型化および小型化を図ることができる。
【００２９】
［第２実施形態］
次に、図５および図６を参照して、この発明を腕時計に適用した第２実施形態について説明する。なお、図１〜図４に示された第１実施形態と同一部分には同一符号を付して説明する。
この腕時計は、表示部材として液晶表示素子３５を用いたデジタル式のもので、この液晶表示素子３５の下面に反射板として太陽電池素子１０を配置した構造で、これ以外は第１実施形態とほぼ同じ構造になっている。
【００３０】
すなわち、液晶表示素子３５は、図６に示すように、上下一対の透明な電極基板３６、３７間に液晶（図示せず）を封入し、上側の電極基板３６の上面および下側の電極基板３７の下面にそれぞれ偏光板３８、３９を設け、この下側の偏光板３９の下面に反射板として太陽電池素子１０を配置した構造で、一対の電極基板３６、３７間に選択的に電圧を印加することにより、その電圧印加に応じて時刻などの情報を電気光学的に表示するように構成されている。この場合、太陽電池素子１０は、上方から光が照射されると、その光が最上部の透明な保護層１７および透明な上部電極層１６を透過してアモルファスシリコン層１５に照射され、この照射された光がアモルファスシリコン層１５を介して金属製の下部電極層１４で反射されるように構成されている。
【００３１】
また、この太陽電池素子１０の上面つまり最上面の保護層１７の上面には、その全域に亘って発光部４０が印刷や塗布によって膜状に形成されている。この発光部４０は、第１実施形態の発光部２０と同様、紫外線領域の光に反応して可視光線領域の光を発光し、紫外線領域の光が照射されないときにほぼ透明な状態を呈するものである。また、この発光部４０は、その発光色が無色または白色であることが望ましいが、赤、青、緑（黄色）を基本とし、これらの混合色であっても良い。なお、この液晶表示素子３５は、インターコネクタ（図示せず）によって回路基板３３と電気的に接続されている。
【００３２】
一方、液晶表示素子３５の外周部に位置するハウジング７の上面には、第１実施形態と同様、見切り部材４が腕時計ケース１の内周面に沿って配置されている。この見切り部材４も、枠状の光透過性部材２１と、この光透過性部材２１の外周に配置される白色の枠状部材２２とからなっている。この光透過性部材２１は、その所定個所、例えば１２時と６時とに位置する個所に素子挿入穴２６が設けられ、これら素子挿入穴２６内に紫外線発光素子２５がそれぞれ挿入され、これら紫外線発光素子２５で発光した紫外線領域の光を導きながら内周面から放出するように構成されている。
【００３３】
このような腕時計によれば、明るい所で外部光が時計ガラス２を透過して腕時計ケース１の内部に入射すると、この入射した外部光が液晶表示素子３５に照射されると共に、この照射された外部光が液晶表示素子３５を透過して太陽電池素子１０の上面に設けられた発光部４０に照射されるが、この発光部４０が紫外線領域の光の非照射時にほぼ透明な状態を呈するので、発光部４０が太陽電池素子１０の上面全体に設けられていても、外部光が発光部４０を透過して太陽電池素子１０に照射される。このため、第１実施形態と同様、外部光が太陽電池素子１０に十分に照射されるので、太陽電池素子１０を良好に発電させることができると共に、反射板を兼ねる太陽電池素子１０の金属製の下部電極層１４で外部光が反射され、この反射された光が上記と逆の光路を経て時計ガラス２から腕時計ケース１の外部に出射されるので、液晶表示素子３５に表示された時刻などの情報を腕時計ケース１の外部から視認することができる。
【００３４】
また、暗い所で紫外線発光素子２５を発光させると、人間の目に見えない紫外線領域の光が、第１実施形態と同様、見切り部材４の枠状の光透過性部材２１内に入射して導かれながら、光透過性部材２１の外周面および下面に形成された微細な凹凸部２３で順次拡散、反射されて、枠状の光透過性部材２１の内周面全域からほぼ均一に放出されるので、紫外線領域の光が液晶表示素子３５の上面全体にほぼ均一に照射される。この照射された紫外線領域の光は、液晶表示素子３５を透過して太陽電池素子１０の上面のほぼ全域に亘って設けられた発光部４０に照射されるので、この発光部４０が紫外線領域の光に反応して人間の目に見える可視光線領域の光を発光する。これにより、太陽電池素子１０の上面全体が発光部４０によって面発光するので、液晶表示素子３５の下面全体をほぼ均一に明るく照明することができる。このため、暗い所でも液晶表示素子３５に表示された情報を鮮明に見ることができる。
【００３５】
このように、この腕時計よれば、明るい所で外部光が液晶表示素子３５および発光部４０を透過して太陽電池素子１０に照射されるので、この太陽電池素子１０で十分に発電することができると共に、液晶表示素子３５に表示された情報を見ることができる。また、暗い所で紫外線発光素子２５を発光させると、その紫外線領域の光によって発光部４０が反応して可視光線領域の光を発光するので、この発光部４０で発光した可視光線領域の光が液晶表示素子３５のバックライトとなり、液晶表示素子３５を下面側から照明することができ、これにより暗い所でも液晶表示素子３５に表示された情報を視認することができる。さらに、太陽電池素子１０が反射板を兼ねていると共に、太陽電池素子１０に設けられた発光部４０が液晶表示素子３５のバックライト装置として機能するので、液晶表示素子３５の反射板やバックライト装置が別部品として不要となり、これにより腕時計全体の薄型化および小型化を図ることができる。
【００３６】
［第３実施形態］
次に、図７および図８を参照して、この発明を携帯電話機に適用した第３実施形態について説明する。この場合には、図５および図６に示された第２実施形態と同一部分に同一符号を付して説明する。
この携帯電話機は、図７に示すように、合成樹脂製の機器ケース４５を備えている。この機器ケース４５は、上ケース４６と下ケース４７とを接合した構造になっている。この場合、上ケース４６の上面における上部側には開口部が設けられ、この開口部には窓部に相当する透明な保護ガラス４８が装着されており、この上ケース４６の上面における下部側には、電話機能に必要な各種のキー釦４９が設けられている。また、この機器ケース４５の上端面には、アンテナ５０が出没可能に取り付けられている。
【００３７】
この機器ケース４５の内部には、図８に示すように、携帯電話機用のモジュール５１が収納されている。この携帯電話機用のモジュール５１は、携帯電話機能に必要な各種の部品を備えたものであり、ハウジング５２に電話に必要な情報を表示する液晶表示素子３５が保護ガラス４８に対応して設けられていると共に、この液晶表示素子３５の外周部に沿って枠状の光透過性部材５３が設けられ、この光透過性部材５３の所定個所に紫外線発光素子２５が配置された構成になっている。この液晶表示素子３５は、第２実施形態と同様、上下一対の透明な電極基板３６、３７間に液晶（図示せず）を封入し、上側の電極基板３６の上面および下側の電極基板３７の下面にそれぞれ偏光板３８、３９を設け、この下側の偏光板３９の下面に反射板として太陽電池素子１０を配置した構造になっている。
【００３８】
この場合にも、太陽電池素子１０は、第２実施形態と同様、その上面に発光部４０が全域に亘って設けられている。この発光部４０も、紫外線領域の光に反応して人間の目に見える可視光線領域の光を発光し、紫外線領域の光が照射されないときに、ほぼ透明な状態を呈するものである。また、光透過性部材５３は、第２実施形態と同様、保護ガラス４８の外周部とハウジング５２との間に配置された枠状部材であり、光透過性樹脂からなり、その３時と９時とに位置する個所の内部に紫外線発光素子２５が配置されている。また、紫外線発光素子２５も、第１実施形態と同様、紫外線領域の光を発光するように構成されている。
【００３９】
このような携帯電話機によれば、明るい所では外部光が保護ガラス４８を透過して機器ケース４５内に入射し、この入射した外部光が液晶表示素子３５に照射されると共に、この液晶表示素子３５を透過して太陽電池素子１０上の発光部４０に照射されるが、この発光部４０が紫外線領域の光の非照射時にほぼ透明な状態を呈するので、第２実施形態と同様、外部光が発光部４０を透過して太陽電池素子１０に照射され、これにより太陽電池素子１０を十分に発電させることができると共に、この太陽電池素子１０の金属製の下部電極層１４で外部光が反射されるので、液晶表示素子３５に表示された情報を見ることができる。
【００４０】
また、暗い所で紫外線発光素子２５を発光させると、その紫外線領域の光が光透過性部材５３で導かれて液晶表示素子３５にその外周側から照射され、この照射された紫外線領域の光が液晶表示素子３５を透過して太陽電池素子１０の上面の発光部４０に照射されるので、この発光部４０が紫外線領域の光に反応して可視光線領域の光を発光し、この発光した可視光線領域の光で液晶表示素子３５を下面側から照明することができ、これにより暗い所でも液晶表示素子３５に表示された情報を見ることができる。さらに、この場合にも、太陽電池素子１０が反射板を兼ねていると共に、太陽電池素子１０の発光部４０が液晶表示素子３５のバックライト装置として機能するので、液晶表示素子３５の反射板やバックライト装置が別部品として不要となり、これにより機器全体の薄型化および小型化を図ることができる。
【００４１】
なお、上記第２、第３実施形態では、太陽電池素子１０の上面全体に発光部４０を設けたが、必ずしも太陽電池素子１０の上面全体に設ける必要はなく、液晶表示素子３５の表示領域に対応する個所のみに設けた構造でも良い。また、発光部４０は必ずしも太陽電池素子１０の上面のみに設ける必要はなく、液晶表示素子３５の上面にもその表示領域に対応する個所を除いて発光部４０を設けた構造でも良い。
【００４２】
また、上記第１〜第３実施形態では、光透過性部材２１の１２時と６時とに位置する個所、または光透過性部材５３の３時と９時とに位置する個所の２か所に紫外線発光素子２５を配置したが、これに限らず、１か所に設けても良く、また３か所以上に設けても良い。
また、上記第１〜第３実施形態では、腕時計または携帯電話機に適用した場合について述べたが、これに限らず、例えば電子手帳、電子辞書、携帯端末機、パーソナルコンピュータ、印刷機などの各種の電子機器、または自動車の計器類などの各種機器、あるいはそれらの各部品に広く適用することができる。
【００４３】
【発明の効果】
以上説明したように、この発明によれば、表示部材の一部を兼ねる太陽電池素子と、この太陽電池素子の上面側に紫外線領域の光を照射する紫外線発光素子と、少なくとも太陽電池素子の上面に設けられて紫外線領域の光に反応して可視光線領域の光を発光する発光部とを備えたことにより、明るい所で外部光が表示部材に照射されるので、この表示部材の一部を兼ねる太陽電池素子を発電させることができ、また暗い所で紫外線発光素子を発光させると、その紫外線領域の光が太陽電池素子の上面側に照射され、この照射された紫外線領域の光によって太陽電池素子の発光部が可視光線領域の光を発光するので、表示部材を照明することができ、これにより暗い所でも表示部材を視認することができ、さらに太陽電池素子が表示部材の一部を兼ねているので、太陽電池素子を搭載しても、機器全体の薄型化および小型化を図ることができる。
【００４４】
この場合、表示部材および太陽電池素子の外周側を囲う枠状の光透過性部材を備え、この光透過性部材の内部に紫外線発光素子が配置されていることにより、紫外線発光素子で発光した紫外線領域の光が枠状の光透過性部材で導かれてその内周面からほぼ均一に放出されるので、紫外線領域の光を太陽電池素子の上面全体にその外周側からほぼ均一に照射させることができる。
また、発光部が紫外線領域の光の非照射時にほぼ透明な状態を呈することにより、紫外線領域の光が存在しない明るい所では、発光部によって表示部材の視認性が妨げられることがなく、外部光によって表示部材を視認することができると共に、外部光を太陽電池素子に十分に照射させて太陽電池素子を良好に発電させることができる。
【００４５】
また、表示部材が、文字板の上方を指針が運針する指針式のもので、太陽電池素子が表示部材の文字板を兼ねていることにより、明るい所で外部光が太陽電池素子と指針とに照射されるので、太陽電池素子で発電することができると共に、時刻を知ることができるほか、特に太陽電池素子が文字板を兼ねているので、その分、部品点数が少なく、組み立て作業が容易になると共に、機器全体の薄型化および小型化を図ることができる。この場合、発光部が太陽電池素子の上面に設けられた時字に相当する部分および指針にそれぞれ設けられていることにより、紫外線発光素子が発光して紫外線領域の光が太陽電池素子の上面側に照射されると、太陽電池素子の時字に相当する部分および指針の各発光部が紫外線領域の光に反応して可視光線領域の光を発光するので、暗い所でも時字および指針を視認することができ、これにより良好に時刻を知ることができる。
【００４６】
また、表示部材が液晶表示素子であり、太陽電池素子が液晶表示素子の反射板を兼ねていることにより、明るい所で外部光が液晶表示素子および発光部を透過して太陽電池素子に照射されるので、太陽電池素子で発電することができると共に、この太陽電池素子で外部光が反射されるので、液晶表示素子に表示された情報を視認することができ、また暗い所で紫外線発光素子を発光させると、その紫外線領域の光が液晶表示素子を透過して太陽電池素子の発光部に照射されるので、この発光部が紫外線領域の光に反応して可視光線領域の光を発光して液晶表示素子を下面側から照明することができ、これにより暗い所でも液晶表示素子に表示された情報を視認することができる。
【００４７】
この場合、太陽電池素子が反射板を兼ねていると共に、太陽電池素子に設けられた発光部が液晶表示素子のバックライト装置として機能するので、液晶表示素子の反射板やバックライト装置が別部品として不要となり、これにより機器全体の薄型化および小型化を図ることができる。特に、発光部が太陽電池素子の上面のほぼ全域に亘って設けられていることにより、液晶表示素子の下面全体をほぼ均一な明るさで照明することができ、これにより暗い所でも液晶表示素子に表示された情報を鮮明に見ることができる。
【図面の簡単な説明】
【図１】この発明を腕時計に適用した第１実施形態を示した要部の拡大断面図。
【図２】図１の太陽電池素子を示した要部の拡大断面図。
【図３】図１の光透過性部材を示した要部の拡大断面図。
【図４】図１の紫外線発光素子を示し、（ａ）はその拡大平面図、（ｂ）はそのＡ−Ａ矢視における拡大断面図。
【図５】この発明を腕時計に適用した第２実施形態を示した要部の拡大断面図。
【図６】図５の液晶表示素子および太陽電池素子を示した要部の拡大断面図。
【図７】この発明を携帯電話機に適用した第３実施形態の斜視図。
【図８】図７のＢ−Ｂ矢視における拡大断面図。
【符号の説明】
１  腕時計ケース
２  時計ガラス
３  時計モジュール
４  見切り部材
８  指針表示部材
１０  太陽電池素子
１２  指針
１８  時字
２０、４０  発光部
２２、５３  光透過性部材
２５  紫外線発光素子
３５  液晶表示素子
４５  機器ケース
４８  保護ガラス
５１  モジュール
【図１】
2004200189.tif 000003
【図２】
2004200189.tif 000004
【図３】
2004200189.tif 000005
【図４】
2004200189.tif 000006
【図５】
2004200189.tif 000007
【図６】
2004200189.tif 000008
【図７】
2004200189.tif 000009
【図８】
2004200189.tif 000010